(57)【特許請求の範囲】
【請求項１】
アラミド繊維の含有率３５重量％以上の基布に難燃シリコンゴムを膠着した組合せ布地とアラミド繊維織物との間に、難燃フッ素フィルムと、この難燃フッ素フィルムで挟まれた絶縁フィルムとをそれぞれ設けたことを特徴とする難燃絶縁タレ。
【請求項２】
前記難燃絶縁タレは、電気安全帽に着脱自在に装着して使用することを特徴とする請求項１に記載の難燃絶縁タレ。
【請求項３】
前記難燃絶縁タレは、電気安全帽に取り付けた時、少なくとも胸上部や肩まで長くなっていることを特徴とする請求項１又は２に記載の難燃絶縁タレ。
【発明の詳細な説明】
【０００１】
【発明の属する技術分野】
本発明は電気工事作業用の安全衛生保護具に関わり、高圧充電路での活線作業、活線近接作業等の感電災害防止用保護具で、電気安全帽に装着して後頭部、頸部を感電災害から保護することを目的としたもので、アラミド繊維の含有率３５重量％以上の基布を表面または裏面に使用し、片面に難燃シリコンゴムを膠着し中間に難燃フッ素フィルムと絶縁フィルムで構成したシートで製作した、難燃絶縁タレに関するものである。
【０００２】
【従来の技術】
近年、病院、電話の交換所、公共建造物、オフィスビル、空港、工場等コンピューター・システム導入企業や家庭が著しく増加している。電力の供給量の増強とともに電気増設工事も増加して電気を通電して行う無停電工事も多く、狭隘な構内作業、高所作業、柱上作業等の避難が困難な箇所での充電路活線作業が増え感電災害の危険がある。人体が充電路に接触して起きるのが電撃傷で、充電路に接触して発生する短絡や近接アークから発生する火炎のふかれに接触、接炎して起きるのが電気火傷で、電気火傷の発生が増加している。充電路に接触感電から身体を保護する絶縁衣や絶縁シートが電気工事で使用されているが、難燃性がなく短絡アーク、近接アーク等の電気火花に接触、接炎による火災や火傷、着衣の火災事故が発生している。
【０００３】
従来の電気絶縁衣はゴム引きの布地又は塩化ビニール製で安価で絶縁性の優れた素材であるが可燃性であり感電災害時の短絡アークによるふかれ（ファイアーボール）の接炎で溶融したり燃え上ることが原因で発生する火傷災害の事例も報告されている。高圧充電路の活線作業時の短絡は放出するエネルギー量が大きく、感電災害が発生すると重大災害となり死亡事故も報告されている。
【０００４】
感電災害は電撃傷と電気火傷があり、電撃傷とは人体への通電による電気斑を有し身体内部を壊死損傷したものを言う。電気火傷とは充電路に接触または接近することによって生じる短絡アーク等に人体が接触して起きる火傷であり、電気火花や短絡アークの接触で着衣が燃え上がり起きる火傷も言う。
現状の絶縁衣は充電路に接触して起きる電撃傷を対象にした保護衣であり、アークの接炎による人体や衣服の損傷を想定していない。
【０００５】
塩化ビニール製品は近年焼却処分事にダイオキシンを含む有害ガスの発生が報告され、全国的に焼却や埋め立て等の廃棄処分が見直されており、将来の生産や使用が危惧されている。損耗廃棄時の環境負荷の少ない絶縁衣の速やかな開発がまたれている。
【０００６】
アラミド繊維による難燃電気防災服が市販されているが、この商品は短絡アークの接炎では燃え上がらず、溶融滴下せず遮熱性がありアークのふかれによる電気火傷に対して有効であるが、絶縁性に配慮してなく、絶縁性を求められる活線作業に使用する安全衛生保護具として不適切である。
【０００７】
電気絶縁用保護具等についてはＪＩＳや労働省告示等があり絶縁性能や耐電圧が決められている。難燃と絶縁機能を兼ね備たヘルメットと一体型のフードがあるが重く大きく扱いにくく取り付け、取り外しが出来ない、夏期高温時では作業性が悪く大量の発汗等が見られ作業時、作業者の負荷が大きい。
【０００８】
労働安全衛生法により、活線作業及び近接作業を行う場合は感電災害を防止するために身体に着用する保護具で電気用ゴム手袋、電気用安全帽、電気用ゴム袖、絶縁衣、電気用ゴム長靴等の絶縁用保護具を作業者に使用する事が義務づけられており構造、絶縁性能については絶縁用保護具の規格が労働省告示第１４４号に記載されている。電気設備の点検、修理などの作業において露出充電部を取り扱う作業衣服について規定がなく後頭部、頸部等の保護規定がなく災害に対して無防備である。
【０００９】
【発明が解決しようとする課題】
上記の状況に鑑み電気工事に従事する作業者の身体生命の保護を目的にした労働安全衛生保護具に係わるもので、電気安全帽に取り付けて、電気安全帽と絶縁衣のあいだの露出部分即ち、後頭部、頸部を難燃絶縁タレで覆い充電路の接触、電気火花や短絡アークの接炎等の感電災害から身体の保護が必要であった。
【００１０】
充電路の活線作業や活線近接作業が増加して、感電災害の発生の危険性も増大し、電気火花や短絡アークの接炎が原因でおきる感電災害も発生している。従来品の塩ビ絶縁衣を着用して活線作業中にアークのふかれに接炎し塩ビ絶縁衣と作業衣が衣服火災で重大火傷事故の発生事例がありこの用な災害の防止が緊急に解決する必要がある。
【００１１】
【課題を解決するための手段】
本発明は、アラミド繊維の含有率３５重量％以上の基布に難燃シリコンゴムを膠着した組合せ布地とアラミド繊維織物との間に、難燃フッ素フィルムと、この難燃フッ素フィルムで挟まれた絶縁フィルムとをそれぞれ設けたことを特徴とするものである。
これにより、高圧充電路の電気災害は瞬間的に放出するエネルギー量が大きく短絡アークのふかれ（ファイアーボール）で溶融滴下して絶縁衣が燃え上がる火傷や、溶融して肌に付着して起きる火傷の危険性があるが、絶縁フィルム難燃アラミド繊維の含有率３５重量％以上の布地にシリコンゴム膠着布地を表面に使用した難燃絶縁タレであれば、短絡アークのふかれ（ファイアーボール）で溶融滴下して燃え上がる火傷を防止できる。
【００１２】
感電災害には電撃傷と電気火傷があり、電撃傷は人体への通電による電気斑を有し身体内部を壊死損傷したもので、高圧充電路に接触や接近することによって生じる災害である。また、電気火傷は短絡アークが人体と接触する事によって起きる火傷であり、電気火花やアークの接触による着衣が燃焼して起きる火傷も含まれるので、使用する素材が難燃でなくてはならない。本発明は表面に難燃性の優れたアラミド繊維織物に難燃シリコンゴムを膠着した布地を使用して難燃化して、アークのふかれの火炎に対して燃え上がらず身体を保護する一方、電気を遮断する。絶縁フィルムについては難燃フッ素フィルムでサンドイッチの様に挟みつけることで、絶縁を図りながら難燃化する。したがって、電気安全帽に取り付けて使用する時に、電撃傷や電気火傷から、後頭部、頸部また顔面等の保護が図れるようになる。
【００１３】
塩化ビニール製品は焼却処分事に有害ガスの発生が見られ、下燃物の指定を受けていて焼却処分ができず損耗廃棄の困難が見込まれ、将来の生産や使用が危惧されていているので、損耗廃棄時の環境負荷の少ないアラミド繊維やポリエチレンフィルム等を使用し、焼却処分が可能な環境に優しい難燃絶縁タレである。
【００１６】
また、難燃絶縁タレの寸法を長くすれば背中や肩、胸の上部の感電防止ができる。
【００１８】
【発明実施の形態】
上記のように構成された難燃絶縁タレによれば、電気工事のなか活線作業や活線近接作業で使用すれば労働安全衛生の向上になる。また、難燃絶縁タレを電気安全帽（ヘルメット）に装着して、狭隘な箇所での作業を施工すれば視認困難な後方の安全、後頭部や頸部等の防御が可能である。
【００１９】
【実施例】
実施例については図面を参照して説明すると、図１において難燃絶縁タレの使用素材組み合わせで、難燃絶縁タレの表面にはアラミド繊維の基布にシリコンゴム膠着布地（１）を使用する。難燃絶縁タレの中間層には、難燃フッ素フィルム（２）と難燃フッ素フィルム（２）によって挟まれた複数の絶縁フィルム（３）をサンドイッチ状に積層し、難燃化と絶縁化を確保する。裏面にはアラミド繊維織物（４）を使用する多層構造のシート状の素材で作製した難燃絶縁タレである。難燃絶縁タレは、表面にアラミド繊維織物（４）を使用し、裏面にアラミド繊維の基布にシリコンゴム膠着布地（１）を使用しても性能の変化はない。
【００２０】
図２は難燃絶縁タレを表から見た平面図で、図５に示す如く口元で止じ合わせることができるように難燃絶縁タレ（８）に面接着テープの雄（５）を表面に取り付け、裏面に面接着テープの雌（６）を取り付ける。
【００２１】
図３は裏面から見た難燃絶縁タレ（８）を示したもので、取り付けてベルト（１０）を難燃絶縁タレ（８）に縫いつけ、そのベルト（１０）に複数の取り付けループ（１１）を縫いつける。先端にヘルメット取り付け用ドットボタン（１２）を取り付ける。ベルト（１０）にもボタン（１２）をつける。
【００２２】
図４は難燃絶縁タレを電気安全帽（ヘルメット）（７）を装着する方法を示した断面図である。電気安全帽（ヘルメット）（７）内部の衝撃防止材（９）に難燃絶縁タレ（８）を取り付ける方法で頭部を一周するベルト（符号はつけていない）を設ける。緩撃防止材（９）に難燃絶縁タレ（８）の前部分をあわせベルト（符号なし）に保護のない後頭部、頸部に対して難燃絶縁タレ（８）の中央をあわせて電気安全帽（ヘルメット）（７）に装着する。この時に電気安全帽（７）のベルトに取り付けループ（１１）を通して、その取り付けプラスチック製ドットボタン（１２）とベルト（１０）のボタン（１２）とを嵌め合わせることで取り付けが完了する。
【００２６】
【発明の効果】
本発明によれば、絶縁性については耐電圧試験に耐えると共に、外布は引張荷重１０ｋｇｆ以上、５％以上の伸び率が確保され、耐寒性は冬季の寒冷温度でもヒビ、キズ、ワレ等の損傷が生じないものである。また、作業中による感電、短絡アーク、近接アーク等の感電災害やそれに伴う間接災害の発生等を回避することができる。
【図面の簡単な説明】
【図１】難燃絶縁タレの使用材組み合わせ構成図。
【図２】難燃絶縁タレ表面に面接着テープを取りつけた平面図。
【図３】難燃絶縁タレを電気安全帽に装着用のベルト、ループ、止めボタンの位置を示した裏平面図。
【図４】電気安全帽に取り付け方を示す断面図。
【図５】電気安全帽に取り付け、人が着用した正面図。
【図６】電気安全帽に取り付け、人が着用した側面図。
【符号の説明】
１：アラミド基布に難燃シリコンゴム膠着布地
２：難燃フッ素フィルム
３：絶縁フィルム
４：アラミド繊維織物
５：面接着テープ雄
６：面接着テープ雌
７：電気安全帽（ヘルメット）
８：難燃絶縁タレ
９：電気安全帽内部衝撃防止材
１０：取り付けベルト
１１：取り付けループ
１２：取り付け用ドットボタン
【図１】
0004248686.tif 000002
【図２】
0004248686.tif 000003
【図３】
0004248686.tif 000004
【図４】
0004248686.tif 000005
【図５】
0004248686.tif 000006
【図６】
0004248686.tif 000007